(57)【要約】【課題】巻取り用の一方向クラッチと逆転防止用の一方向クラッチを備えた巻取りユニットにおいて、ユニット全体の軸方向サイズのコンパクト化を図ることである。【解決手段】揺動部材１２と巻取り部材１９との間に巻取り用の一方向クラッチ２７と、逆転防止用の一方向クラッチ２５がそれぞれ介在された間欠巻取りユニットにおいて、前記巻取り部材１９の径方向に対向した内筒部２１と外筒部２２との間に外径側クラッチ収納部２６が形成され、そのクラッチ収納部２６に回転スリーブ９が嵌入され、その回転スリーブ９と外筒部２２との間に巻取り用の一方向クラッチ２７が収納され、固定軸３と前記内筒部２１との間に形成された内径側クラッチ収納部２４に逆転防止側の一方向クラッチ２５が収納された構成とした。【選択図】図１
2007132433.tif 000002
【特許請求の範囲】
【請求項１】
入力側の揺動部材（１２）と出力側の巻取り部材（１９）が固定フレーム（１）と一体の固定軸（３）の周りに回転自在に取り付けられ、前記揺動部材（１２）と巻取り部材（１９）との間に巻取り用の一方向クラッチ（２７）と、前記巻取り部材（１９）と前記固定軸（３）との間に逆転防止用の一方向クラッチ（２５）がそれぞれ介在され、前記揺動部材（１２）の巻取り方向への揺動時に前記巻取り用の一方向クラッチ（２７）がロックされ、逆転防止用の一方向クラッチ（２５）がフリーとなる方向性をそれぞれ有する間欠巻取りユニットにおいて、
前記巻取り部材（１９）のボス部（２０）に径方向に対向した内筒部（２１）と外筒部（２２）が同軸状態に設けられ、これら内筒部（２１）と外筒部（２２）によって前記固定フレーム（１）側に開放された外径側クラッチ収納部（２６）が形成され、前記揺動部材（１２）が回転スリーブ（９）を介して前記固定軸（３）に回転自在に取り付けられるとともに、該回転スリーブ（９）が前記内筒部（２１）外径面に沿って嵌入され、該回転スリーブ（９）と外筒部（２２）との間に巻取り用の一方向クラッチ（２７）が収納され、該一方向クラッチ（２７）は前記外筒部（２２）に嵌合された巻取り側外輪（３３）と、その外輪（３３）の内径面において前記回転スリーブ（９）と対向し底面にクサビ角θを有する巻取り側カム面（３８）が形成されたポケット（３５）と、そのポケット（３５）に収納された巻取り側転動体（３６）とからなり、
前記固定軸（３）と前記内筒部（２１）との間に内径側クラッチ収納部（２４）が設けられるとともに、そのクラッチ収納部（２４）に逆転防止用の一方向クラッチ（２５）が収納され、該一方向クラッチ（２５）は前記内筒部（２１）に嵌合された逆転防止側外輪（３９）と、その外輪（３９）の内径面に前記固定軸（３）と対向し底面にクサビ角δを有する逆転防止側カム面（４５）が形成されたポケット（４２）と、そのポケット（４２）に収納された逆転防止側転動体（４３）とからなり、
前記クサビ角θは前記揺動部材（１２）の巻取り方向への揺動時に巻取り側転動体（３６）がロックする方向に狭小となり、また前記クサビ角δは前記揺動部材（１２）の巻取り方向への揺動時に逆転防止側転動体（４３）がフリーとなる方向に狭小となる方向性を有することを特徴とする間欠巻取りユニット。
【請求項２】
前記回転スリーブ（９）の固定フレーム（１）側端部に内向きつば部（１１）が形成され、その内向きつば部（１１）が固定軸（３）に対し回転自在に嵌合されたことを特徴とする請求項１に記載の間欠巻取りユニット。
【請求項３】
前記巻取り側の一方向クラッチ（２７）のクラッチ収納部（２６）の開放端面が前記揺動レバー（１２）のボス部（１４）によって閉鎖され、その閉鎖によって前記一方向クラッチ（２７）の軸方向の抜け止めが図られたことを特徴とする請求項１又は２に記載の間欠巻取りユニット。
【請求項４】
前記内筒部（２１）の固定フレーム（１）側端部に内向きつば部（２３）が設けられ、その内向きつば部（２３）と固定軸（３）の端部に形成された固定軸つば部（７）とによって前記逆転防止側の一方向クラッチ（２５）の軸方向の抜け止めが図られたことを特徴とする請求項１から３のいずれかに記載の間欠巻取りユニット。
【請求項５】
入力側の揺動部材（１２）と出力側の巻取り部材（１９）が固定フレーム（１）に一体化された固定軸（３）の周りに回転自在に取り付けられ、前記揺動部材（１２）と巻取り部材（１９）との間に巻取り用の一方向クラッチ（２７）と、前記巻取り部材（１９）と前記固定軸（３）との間に逆転防止用の一方向クラッチ（２５）がそれぞれ介在され、前記揺動部材（１２）の巻取り方向への揺動時に前記巻取り用の一方向クラッチ（２７）がロックされ、逆転防止用の一方向クラッチ（２５）がフリーとなる方向性をそれぞれ有する間欠巻取りユニットにおいて、
前記固定軸（３）の固定フレーム（１）と反対側の端部に固定軸つば部（７）が設けられるとともに、そのつば部（７）の外周に内向きの固定軸外筒部(１０）が設けられ、前記固定軸（３）に回転自在に嵌合された回転スリーブ（９）と前記固定軸外筒部（１０）との間に固定フレーム（１）側に開放された内径側クラッチ収納部（２４）が設けられ、前記巻取り部材（１９）のボス部（２０）に径方向に対向した内筒部（２１）と外筒部（２２）が同軸状態に設けられ、これら内筒部（２１）と外筒部（２２）によって前記固定フレーム（１）に対し反対側に開放された外径側クラッチ収納部（２６）が形成され、
前記巻取り部材（１９）の内筒部（２１）が前記内径側クラッチ収納部（２４）に嵌入され、その内筒部（２１）と前記回転スリーブ（９）との間に巻取り用の一方向クラッチ（２７）が収納され、該一方向クラッチ（２７）は前記内筒部（２１）に嵌合された巻取り側外輪（３３）と、その外輪（３３）の内径面において前記回転スリーブ（９）に対向しクサビ角θを有する巻取り側カム面（３８）が形成されたポケット（３５）と、そのポケット（３５）に収納された巻取り側転動体（３６）とからなり、
前記外径側クラッチ収納部（２６）に逆転防止用の一方向クラッチ（２５）が収納され、該一方向クラッチ（２５）は前記外筒部（２２）に嵌合された逆転防止側外輪（３９）と、その外輪（３９）の内径面に前記固定軸外筒部（１０）に対向し底面にクサビ角δを有する逆転防止側カム面（４５）が形成されたポケット（４２）と、そのポケット（４２）に収納された逆転防止側転動体（４３）とからなり、
前記クサビ角θは前記揺動部材（１２）の巻取り方向への揺動時に巻取り側転動体（３６）がロックする方向に狭小となり、またクサビ角δは前記揺動部材（１２）の巻取り方向への揺動時に逆転防止側転動体（４３）がフリーとなる方向に狭小となる方向性を有することを特徴とする間欠巻取りユニット。
【請求項６】
前記巻取り用の一方向クラッチ（２５）が、前記回転スリーブ（９）の外向きつば部（１１’）と固定軸つば部（７）とによって軸方向の抜け止めが図られたことを特徴とする請求項５に記載の間欠巻取りユニット。
【請求項７】
前記外径側クラッチ収納部（２６）の開放端が環状の蓋（３０）により閉鎖され、該蓋（３０）によって逆転防止用の一方向クラッチ（２５）の軸方向への抜け止めが図られたことを特徴とする請求項５又は６に記載の間欠巻取りユニット。
【発明の詳細な説明】
【技術分野】
【０００１】
この発明は、テープフィーダユニット等において用いられる間欠巻取りユニットに関し、特にユニット自体の軸方向のコンパクト化、即ち幅狭化を図り、幅の狭いテープに対応できるようにしたものである。
【背景技術】
【０００２】
チップマウンターに装着されるテープフィーダユニットにおいては、電子部品が収納された搬送テープを間欠的に送るとともに、その搬送テープの蓋の役目を果たすトップテープを剥ぎ取り、剥ぎ取ったトップテープを間欠的に巻取る巻取りユニットが設けられる。
【０００３】
このような間欠巻取りユニットとして、入力側となる揺動部材と、出力側となる巻取り部材が固定軸上に回転自在に取り付けられ、前記揺動部材と巻取り部材との間に巻取り用の一方向クラッチが、また、前記巻取り部材と前記固定軸との間に逆転防止用の一方向クラッチがそれぞれ介在され、前記巻取り用の一方向クラッチは前記揺動部材の巻取り方向への揺動時にロックされて巻取りトルクを伝達し、また前記逆転防止用の一方向クラッチは前記巻取り部材の巻取り方向への回転時にフリーとなる方向性をそれぞれ有するように構成されたものが知られている（特許文献１）。
【特許文献１】特開２００１−４１２６５号公報（図１）
【発明の開示】
【発明が解決しようとする課題】
【０００４】
前記特許文献１に開示された間欠巻取りユニットは、巻取り用と逆転防止用の２種類の一方向クラッチが軸方向に２個並設されるため、軸方向のコンパクト化、即ち幅狭化の限界があり、幅の狭いテープに対応できない問題がある。
【０００５】
そこで、この発明は、前記２個の一方向クラッチを径方向に組み合わせることにより更なる幅狭化を図った間欠巻取りユニットを提供することを課題とする。
【課題を解決するための手段】
【０００６】
前記の課題を解決するために、この発明係る間欠巻取りユニットは、図１及び図３に示したように、入力側の揺動部材１２と出力側の巻取り部材１９が固定フレーム１と一体化された固定軸３の周りに回転自在に取り付けられ、前記揺動部材１２と巻取り部材１９との間に巻取り用の一方向クラッチ２７と、前記巻取り部材１９と前記固定軸３との間に逆転防止用の一方向クラッチ２５がそれぞれ介在され、前記揺動部材１２の巻取り方向への揺動時に前記巻取り用の一方向クラッチ２７がロックされ、逆転防止用の一方向クラッチ２５がフリーとなる方向性をそれぞれ有する。
【０００７】
前記のような間欠巻取りユニットにおいて、この発明においては、前記巻取り部材１９のボス部２０に径方向に対向した内筒部２１と外筒部２２が同軸状態に設けられ、これら内筒部２１と外筒部２２によって前記固定フレーム１側に開放されたクラッチ収納部２６が形成される。また、前記揺動部材１２が回転スリーブ９を介して前記固定軸３に回転自在に取り付けられるとともに、該回転スリーブ９が前記内筒部２１外径面に沿って嵌入され、回転スリーブ９と外筒部２２との間に巻取り用の一方向クラッチ２７が収納される。
【０００８】
該一方向クラッチ２７は前記外筒部２２に嵌合された巻取り側外輪３３と、その外輪３３の内径面において前記回転スリーブ９と対向し底面にクサビ角θ（図３参照）を有する巻取り側カム面３８が形成されたポケット３５と、そのポケット３５に収納された巻取り側転動体３６とからなる。
【０００９】
また、前記固定軸３と前記内筒部２１との間に内径側クラッチ収納部２４が設けられるとともに、そのクラッチ収納部２４に逆転防止用の一方向クラッチ２５が収納される。該一方向クラッチ２５は前記内筒部２１に嵌合された逆転防止側外輪３９と、その外輪３９の内径面に前記固定軸３と対向し底面にクサビ角δ（図３参照）を有する逆転防止側カム面４５が形成されたポケット４２と、そのポケット４２に収納された逆転防止側転動体４３とからなる。
【００１０】
前記クサビ角θは前記揺動部材１２の巻取り方向への揺動時に巻取り側転動体３６がロックする方向に狭小となり、またクサビ角δは前記揺動部材１２の巻取り方向への揺動時に逆転防止側転動体４３がフリーとなる方向に狭小となる方向性を有する。
【００１１】
なお、図５、図６に示したように、前記の内径側クラッチ収納部２４に巻取り用の一方向クラッチ２７を収納し、外径側クラッチ収納部２６に逆転防止用の一方向クラッチ２５を収納した構成をとることもできる。
【発明の効果】
【００１２】
以上のように、この発明は、巻取り用の一方向クラッチと逆転防止用の一方向クラッチを半径方向に配置したので、ユニットの軸方向の幅は実質的にいずれか一方の一方向クラッチの幅となる幅狭化を実現することができる。また、外径側に配置される一方向クラッチは転動体が内径側のものに比べて多くなるので、相対的に負荷容量が増大する。
【発明を実施するための最良の形態】
【００１３】
以下、添付図面に基づいてこの発明の実施例を説明する。
【実施例１】
【００１４】
図１から図４に示した実施例１の間欠巻取りユニットは、ハウジング、ブラケット等の固定フレーム１にボルト２によって取り付けられた固定軸３を有する。固定軸３の外径面は固定フレーム１側の端部から順に、小径部４、中径部５、大径部６が形成され、大径部６の端部に固定軸つば部７が設けられ、前記小径部４が固定フレーム１に嵌合一体化される。また、前記中径部５には、前記固定フレーム１との間にスペーサ８を介して回転スリーブ９の内向きつば部１１が中径部５と大径部６との間の段差部分で位置決めされて回転自在に嵌合される。
【００１５】
前記回転スリーブ９の外周面に入力部材としての揺動部材１２が嵌合される。両者の嵌合部分における回り止めのために、回転スリーブ９側にＤカット部１３が設けられ（図４参照）、揺動部材１２のボス部１４にこれに合致するＤカット孔部１５が設けられる。
【００１６】
前記の揺動部材１２は、図２及び図４に示したように、ボス部１４の外周縁から下向きに延び出した第１の揺動アーム１６と、側方に延び出した第２の揺動アーム１７が設けられる。第１の揺動アーム１６の先端に図示省略のリンク機構が連結され、図２において矢印ａ、ｂで示したように一定の揺動角をもって駆動される。第２の揺動アーム１７の先端と、固定フレーム１の間にコイルばね１８が介在される。このコイルばね１８は、矢印ａ、ｂの揺動方向に応じて伸縮してばね力を及ぼす。なお、回転スリーブ９と揺動部材１２は一体の部品で形成してもよい。
【００１７】
出力部材としての巻取り部材１９は、図１に示したように、ボス部２０に径方向に対向した内筒部２１と外筒部２２を有し、その内筒部２１の固定フレーム１側端部に径方向に屈曲して内向きつば部２３が形成される。内向きつば部２３は固定軸３の大径部６において前記回転スリーブ９に接して配置され、径方向に所要のクリアランスをもって嵌合される。
【００１８】
固定軸３の前記固定軸つば部７と前記の内向きつば部２３の間によって軸方向に区画され、かつ前記内筒部２１と大径部６とによって径方向に区画された空所によって内径側クラッチ納部２４が形成され、そのクラッチ収納部２４に逆転防止用の一方向クラッチ２５が収納される。前記の巻取り部材１９はその内筒部２１が該一方向クラッチ２５と前記回転スリーブ９の内向きつば部１１とによって径方向に支持される。
【００１９】
また、巻取り部材１９の内筒部２１と外筒部２２とにより、固定フレーム１側に開放された断面コの字形の外径側クラッチ収納部２６が形成される。前記回転スリーブ９は、該クラッチ収納部２６内部の内筒部２１に接して嵌入される。その内筒部２１と外筒部２２との間に巻取り用の一方向クラッチ２７が収納される。また、外径側クラッチ収納部２６の開放側端面がスペーサ２８を介して前記揺動部材１２のボス部１４により閉塞される。
【００２０】
また、巻取り部材１９の外筒部２２の固定フレーム１側端部において外向きの巻取りつば部２９が設けられる。その巻取りつば部２９に対向して外筒部２２に断面Ｌ字形の着脱リール３１が嵌合され、その着脱リール３１と巻取りつば部２９との間に巻取り溝３２が形成される。
【００２１】
前記の巻取り用の一方向クラッチ２７は、図１及び図３に示したように、巻取り用外輪３３が回り止め手段３４を介して外筒部２２の内径面に嵌合され、その内径面に周方向に一定の間隔をおいて多数のポケット３５が設けられる。各ポケット３５内にころ３６と付勢ばね３７が収納される。前記のポケット３５は巻取り側外輪３３の軸方向の全長にわたり設けられ（図１参照）、ころ３６はそのポケット３５の長さと同一長さを有する。
【００２２】
前記ポケット３５の底面に巻取り側カム面３８（図３参照）が形成される。その巻取り側カム面３８は前記揺動部材１２の巻取り時の揺動方向（図１、図３の矢印ａ方向）に見た場合、底面の深さが次第に径方向に浅くなる傾斜を有し、その傾斜により回転スリーブ９との間に前記矢印ａの方向に狭小となるクサビ角θが形成される。ころ３６は前記の付勢ばね３７によりクサビ角θが形成される方向に付勢される。
【００２３】
また、前記の逆転防止用の一方向クラッチ２５は、図１及び図３に示したように、逆転防止用外輪３９が回り止め手段４１を介して内筒部２２の内径面に嵌合され、その内径面に周方向に一定の間隔をおいて多数のポケット４２が設けられる。各ポケット４２内にころ４３と付勢ばね４４が収納される。前記のポケット４２は逆転防止側外輪３９の軸方向の全長にわたり設けられる（図１参照）。ころ４３はそのポケット４２の長さと同一長さを有する。
【００２４】
前記ポケット４２の底面に逆転防止側カム面４５（図３参照）が形成される。その逆転防止側カム面４５は前記揺動部材１２の巻取り時の揺動方向（図１、図３の矢印ａ方向）に見た場合、底面の深さが次第に径方向に浅くなる傾斜を有し、その傾斜により固定軸３との間に矢印ａの方向に狭小となるクサビ角δが形成される。ころ４３は前記の付勢ばね４４によりクサビ角δが形成される方向に付勢される。
【００２５】
実施例１の間欠巻取りユニットは以上のように構成され、次にその作用について説明する。揺動部材１２が、図３に示した矢印ａ方向に揺動されたとき、これと一体の回転スリーブ９がその方向（矢印Ａ参照）に回転するため、巻取り用の一方向クラッチ２７のころ３６がクサビ角θの方向に相対移動して噛み込みを生じる。その結果巻取り用一方向クラッチ２７がロック状態となり、巻取り側外輪３３、これと回り止め手段３４を介して巻取り部材１９にトルクが伝達され、巻取り溝３２にトップテープが巻き取られる。このとき、逆転防止用の一方向クラッチ２５は逆転防止側外輪３９が同方向に回転するため、ころ４３がクサビ角δと反対方向に相対移動するためフリーとなって巻取りを妨げることはない。
【００２６】
次に、揺動部材１２が矢印ｂ方向に揺動されると、巻取り用の一方向クラッチ２７はころ３６がクサビ角θと反対方向に相対移動する結果フリーとなり、揺動部材１２は巻取り部材１９に対して逆方向のトルクを及ぼすことなく回転スリーブ９と共に回転し元の状態に戻る。この場合、トップテープ等から巻取り部材１９に対して逆転方向のトルクが加えられたとすると、逆転防止用の一方向クラッチ２５においてはころ４３がクサビ角δの方向に移動して固定軸３に対しロック状態となり巻取り部材１９の逆転（共回り）を阻止するが、そのロックは回転スリーブ９及びこれと一体の揺動部材１２の回転には影響を与えないため、揺動部材１２が元の状態に戻る際のトルクに変動を来たすことはない。
【実施例２】
【００２７】
次に、図５から図７に示した実施例２について説明する。実施例２の間欠巻取りユニットは、前記実施例１のものと基本的構成は同様であるが、相違する点は実施例１の場合は、巻取り用の一方向クラッチ２７が外径側に配置され、逆転防止用の一方向クラッチ２５が内径側に配置されているのに対し、実施例２の場合は、これと反対に、巻取り用の一方向クラッチ２７が内径側、逆転防止用の一方向クラッチ２５が外径側に配置されている点である。以下詳細に説明する。
【００２８】
実施例２の間欠巻取りユニットは、ハウジング、ブラケット等の固定フレーム１にボルト２によって一体に取り付けられた固定軸３を有する。固定軸３の一端部に小径部４が形成され、他端部に固定軸つば部７が設けられる。固定軸つば部７の外周に内向きの固定軸外筒部１０が設けられ、前記小径部４が固定フレーム１に嵌合固定される。また、前記固定軸３は、前記固定フレーム１との間にスペーサ８を介して回転スリーブ９が回転自在に嵌合される。回転スリーブ９は固定フレーム１側の端部に外向きつば部１１’を有し、回転スリーブ９の先端は固定軸つば部７に接する。前記外向きつば部１１’の外周面に入力部材としての揺動部材１２が嵌合される。両者の嵌合部分における回り止めのために、外向きつば部１１’側にＤカット部１３が設けられ（図７参照）、揺動部材１２のボス部１４にこれに合致するＤカット孔部１５が設けられる。
【００２９】
前記の揺動部材１２は、図７に示したように、ボス部１４の外周縁から下向きに延び出した第１の揺動アーム１６と、側方に延び出した第２の揺動アーム１７が設けられる。第１の揺動アーム１６の先端に図示省略のリンク機構が連結され、図６において矢印ａ、ｂで示したように一定の揺動角をもって駆動される。第２の揺動アーム１７の先端と、固定フレーム１の間にコイルばね１８が介在される。このコイルばね１８は、矢印ａ、ｂの揺動方向に応じて伸縮してばね力を及ぼす。なお、回転スリーブ９と揺動部材１２は一体の部品で形成してもよい。
【００３０】
出力部材としての巻取り部材１９は、図５に示したように、ボス部２０の固定フレーム１と反対側の面に径方向に対向した内筒部２１と外筒部２２を有し、外筒部２２よりも外径側でボス部２０から径方向外向きに延び出した巻取りつば部２９が設けられる。その巻取りつば部２９に対向して外筒部２２に断面Ｌ字形の着脱リール３１が嵌合され、その着脱リール３１と巻取りつば部２９との間に巻取り溝３２が形成される。
【００３１】
前記の巻取り部材１９は、その内筒部２１が前記固定軸３の外筒部１０の内径面に沿って嵌入されることにより固定軸３と組み合わされる。この組み合わせによって形成された回転スリーブ９と前記内筒部２１との間に内径側クラッチ収納部２４が形成され、その内部に巻取り用の一方向クラッチ２７が収納される。
【００３２】
また、前記固定軸３の外筒部１０と巻取り部材１９の外筒部２２との間に外径側クラッチ収納部２６が形成され、その内部に逆転防止用の一方向クラッチ２５が収納される。そのクラッチ収納部２６は該一方向クラッチ２５を収納したのち環状の蓋３０により閉鎖される。
【００３３】
前記の巻取り用の一方向クラッチ２７は、図５及び図６に示したように、巻取り用外輪３３が回り止め手段３４を介して内筒部２１の内径面に嵌合され、その内径面に周方向に一定の間隔をおいて多数のポケット３５が設けられる。各ポケット３５内にころ３６と付勢ばね３７が収納される。前記のポケット３５は巻取り側外輪３３の軸方向の全長にわたり設けられ（図５参照）、ころ３６はそのポケット３５の長さと同一長さを有する。
【００３４】
前記ポケット３５の底面に巻取り側カム面３８（図６参照）が形成される。その巻取り側カム面３８は前記揺動部材１２の巻取り時の揺動方向（図６の矢印ａ方向）に見た場合、底面の深さが次第に径方向に浅くなる傾斜を有し、その傾斜により回転スリーブ９との間に前記矢印ａの方向に狭小となるクサビ角θが形成される。ころ３６は前記の付勢ばね３７によりクサビ角θが形成される方向に付勢される。
【００３５】
前記の巻取り用の一方向クラッチ２７は、固定軸つば部７と回転スリーブ９の外向きつば部１１’との間で軸方向の抜け止めが図られる。外向きつば部１１’と一方向クラッチ２７との間にスペーサ２８’が介在される。
【００３６】
前記の逆転防止用の一方向クラッチ２５は、図５及び図６に示したように、逆転防止用外輪３９が回り止め手段４１を介して外筒部２２の内径面に嵌合され、その内径面に周方向に一定の間隔をおいて多数のポケット４２が設けられる。各ポケット４２内にころ４３と付勢ばね４４が収納される。前記のポケット４２は逆転防止側外輪３９の軸方向の全長にわたり設けられ（図５参照）、ころ４３はそのポケット４２の長さと同一長さを有する。
【００３７】
前記ポケット４２の底面に逆転防止側カム面４５（図６参照）が形成される。その逆転防止側カム面４５は前記揺動部材１２の巻取り時の揺動方向（図６の矢印ａ方向）に見た場合、底面の深さが次第に径方向に浅くなる傾斜を有し、その傾斜により固定軸３の外筒部１０との間に前記矢印ａの方向に狭小となるクサビ角δが形成される。ころ４３は前記の付勢ばね４４によりクサビ角δが形成される方向に付勢される。
【００３８】
実施例２の間欠巻取りユニットは以上のようなものである。その作用は、前記の実施例１の場合と比較して、巻取り用の一方向クラッチ２５が内径側において、また逆転防止用の一方向クラッチ２７が外径側において作用する点であり、発生トルクの相対的な大きさに相違はあるが、巻取り作用は実質的に同様であるので、その説明を省略する。
【図面の簡単な説明】
【００３９】
【図１】実施例１の縦断側面図
【図２】図１のＸ−Ｘ線の断面図
【図３】図１のＹ−Ｙ線の断面図
【図４】（ａ）実施例１の分解斜視図、（ｂ）同上の一部分解斜視図
【図５】実施例２の縦断側面図
【図６】図５のＺ−Ｚ線の断面図
【図７】（a）実施例２の分解斜視図、（ｂ）同上の一部分解斜視図
【符号の説明】
【００４０】
１  固定フレーム
２  ボルト
３  固定軸
４  小径部
５  中径部
６  大径部
７  固定軸つば部
８  スペーサ
９  回転スリーブ
１０  固定軸外筒部
１１  内向きつば部
１１’  外向きつば部
１２  揺動部材
１３  Ｄカット部
１４  ボス部
１５  Ｄカット孔部
１６  第１の揺動アーム
１７  第２の揺動アーム
１８  コイルばね
１９  巻取り部材
２０  ボス部
２１  内筒部
２２  外筒部
２３  内向きつば部
２４  内径側クラッチ収納部
２５  一方向クラッチ
２６  外径側クラッチ収納部
２７  一方向クラッチ
２８、２８’  スペーサ
２９  巻取りつば部
３０  蓋
３１  着脱リール
３２  巻取り溝
３３  巻取り側外輪
３４  回り止め手段
３５  ポケット
３６  巻取り側転動体（ころ）
３７  付勢ばね
３８  巻取り側カム面
３９  逆転防止側外輪
４１  回り止め手段
４２  ポケット
４３  逆転防止側転動体（ころ）
４４  付勢ばね
４５  逆転防止側カム面
【図１】
2007132433.tif 000003
【図２】
2007132433.tif 000004
【図３】
2007132433.tif 000005
【図４】
2007132433.tif 000006
【図５】
2007132433.tif 000007
【図６】
2007132433.tif 000008
【図７】
2007132433.tif 000009